(57)【要約】【課題】  電池同士の間に壁を設けずに、電池同士が擦れ合い短絡する危険性を低下させる電池収納室、及び該電池収納室を用いた電子機器を提供する。【解決手段】  複数の電池６が電池収納部１に挿入されると、電池６の中心軸から見て、電池収納室側接片２は内側に、電池蓋側接片４は外側にそれぞれ配置される。電池蓋３が閉じられると電池収納室側接片２と電池蓋側接片４とは、電池６に対して互いを離す方向に押圧する。したがって、電池６同士が接触する危険性が低下する。【選択図】  図１
2006221858.tif 000002
【特許請求の範囲】
【請求項１】
少なくとも２以上の電池を収納する電池収納部と、
前記電池収納部の電池挿入口を開閉可能な電池蓋と、
前記電池の両端と接触して、前記電池が有する電力を外部に供給する導通部とを有する電池収納室であって、
前記導通部が前記電池収納部に挿入されて前記電池の前記両端と接触して導通するときに、
前記導通部は、前記電池の中心軸以外の位置に接触することを特徴とする電池収納室。
【請求項２】
前記導通部は、
前記電池収納部の内側に配置される第１の導通部と、
前記電池蓋において、前記電池収納室を閉じた状態のときに前記電池収納部の内側になる位置に配置される第２の導通部と、
を有することを特徴とする請求項１に記載の電池収納室。
【請求項３】
前記第１の導通部と前記第２の導通部とは、対向する位置に配置されることを特徴とする請求項２に記載の電池収納室。
【請求項４】
前記導通部は、前記電池の両端と線状に接触する線状接触であることを特徴とする請求項２に記載の電池収納室。
【請求項５】
前記導通部は、前記電池の両端と、少なくとも１以上の点で接触する点状接触であることを特徴とする請求項２に記載の電池収納室。
【請求項６】
前記導通部は、前記電池の両端と面状に接触する面状接触であることを特徴とする請求項２に記載の電池収納室。
【請求項７】
前記面状接触は、前記電池の両端よりも小さいことを特徴とする請求項６に記載の電池収納室。
【請求項８】
前記電池は、
前記電池収納部に並列に挿入され、前記電池が収納された前記電池収納室の内部は、前記電池が移動可能な空間が生じ、
それぞれの前記電池の間と前記電池収納室の内部との間とが、前記空間によって覆われることを特徴とする請求項１から７に記載の電池収納室。
【請求項９】
前記電池収納部に前記電池を挿入したときに、前記第１の導通部と前記電池の両端とが接触する位置は、
挿入された前記電池の両端の中心軸よりも、前記電池収納部の中心側の方向に配置されることを特徴とする請求項１から８に記載の電池収納室。
【請求項１０】
前記電池収納部に前記電池を挿入したときに、前記第２の導通部と前記電池の両端とが接触する位置は、
挿入された前記電池の両端の中心軸よりも、前記電池収納部の外側の方向に配置されることを特徴とする請求項１から８に記載の電池収納室。
【請求項１１】
前記電池蓋を閉じたときに、前記電池収納部に挿入された前記電池は、
前記第１の導通部と前記第２の導通部とによって前記電池収納部の外側方向に押圧されて、前記電池が互いに接触することを防ぐことを特徴とする請求項１から１０に記載の電池収納室。
【請求項１２】
請求項１から１１に記載の電池収納室を有する電子機器。
【発明の詳細な説明】
【技術分野】
【０００１】
本発明は、電池同士の摩擦防止機構を有する電池収納室、及び該電池収納室を用いた電子機器に関する。
【背景技術】
【０００２】
従来、カメラやビデオカメラ、携帯電話などの携帯用機器の動力源として、電池を用いるものがある。通常、動力源として複数個の電池を用いることが多いが、この場合、電池を収納する収納部の各電池の間に壁を設けているものがある。
【０００３】
これは、電池が擦れてしまうと電池の表面（皮膜）に傷が付着し、その箇所から短絡する危険があるためである。各電池間にこのように壁を設けることにより、電池同士が接触して擦れないようにしている。
【０００４】
また、電池室に挿入する電池の保持を確実に行い、収納室内でのずれを抑制したものとして、特許文献１から３に開示された発明がある。特許文献１に開示された発明は、電池装填による電池蓋の収納筐体からのずれ発生が防止され、その構造も簡単である電池収納室を提供するものである。
【０００５】
特許文献２に開示された発明は、接片の接片保持部への取り付けおよび取り外しが容易で、しかも、接片の取り付け状態も良好である電池接片構造を提供するものである。また、特許文献３に開示された発明は、正極端子と負極端子との短絡を防止し得、更に、正極端子および負極端子に外部機器の端子を接続する際の電池への衝撃を緩和し得る電池ケースおよびそれを用いた電池パックを提供するものである。
【特許文献１】特開２００２−２７９９５０号公報
【特許文献２】特開２００１−０８４９７８号公報
【特許文献３】特開平１１−２９７２８５号公報
【発明の開示】
【発明が解決しようとする課題】
【０００６】
しかし、従来の技術には、以下に述べるような問題があった。
【０００７】
通常、２本の電池を収納するような電池収納室においては、電池同士が接触しないようにするために、互いの電池の間に壁を設けていた。従来、このように壁を設けることなく互いの電池を接触しないようにした例は存在しない。
【０００８】
したがって、現在、このような壁を持たない電池収納室においては、繰り返し長期にわたって使用するニッケル水素充電池を使用した場合や、ユーザが、誤って皮膜に傷を付けてしまった電池を使用する場合などには、電池同士が接触することによって短絡する危険性がある。
【０００９】
上記の問題点に鑑み、本発明は、電池同士が、擦れ合い短絡する危険性を低下させる電池収納室、及び該電池収納室を用いた電子機器を提供することを目的としている。
【課題を解決するための手段】
【００１０】
上記の課題を解決するため、請求項１に記載の発明は、少なくとも２以上の電池を収納する電池収納部と、電池収納部の電池挿入口を開閉可能な電池蓋と、電池の両端と接触して、電池が有する電力を外部に供給する導通部とを有する電池収納室であって、導通部が電池収納部に挿入されて電池の両端と接触して導通するときに、導通部は、電池の中心軸以外の位置に接触することを特徴とする。
【００１１】
請求項２に記載の発明は、請求項１に記載の電池収納室において、導通部は、電池収納部の内側に配置される第１の導通部と、電池蓋において、電池収納室を閉じた状態のときに電池収納部の内側になる位置に配置される第２の導通部と、を有することを特徴とする。
【００１２】
請求項３に記載の発明は、請求項２に記載の電池収納室において、第１の導通部と第２の導通部とは、対向する位置に配置されることを特徴とする。
【００１３】
請求項４に記載の発明は、請求項２に記載の電池収納室において、導通部は、電池の両端と線状に接触する線状接触であることを特徴とする。
【００１４】
請求項５に記載の発明は、請求項２に記載の電池収納室において、導通部は、電池の両端と、少なくとも１以上の点で接触する点状接触であることを特徴とする。
【００１５】
請求項６に記載の発明は、請求項２に記載の電池収納室において、導通部は、電池の両端と面状に接触する面状接触であることを特徴とする。
【００１６】
請求項７に記載の発明は、請求項６に記載の電池収納室において、面状接触は、電池の両端よりも小さいことを特徴とする。
【００１７】
請求項８に記載の発明は、電池は、請求項１から７に記載の電池収納室において、電池収納部に並列に挿入され、電池が収納された電池収納室の内部は、電池が移動可能な空間が生じ、それぞれの電池の間と電池収納室の内部との間とが、空間によって覆われることを特徴とする。
【００１８】
請求項９に記載の発明は、請求項１から８に記載の電池収納室において、電池収納部に電池を挿入したときに、第１の導通部と電池の両端とが接触する位置は、挿入された電池の両端の中心軸よりも、電池収納部の中心側の方向に配置されることを特徴とする。
【００１９】
請求項１０に記載の発明は、請求項１から８に記載の電池収納室において、電池収納部に電池を挿入したときに、第２の導通部と電池の両端とが接触する位置は、挿入された電池の両端の中心軸よりも、電池収納部の外側の方向に配置されることを特徴とする。
【００２０】
請求項１１に記載の発明は、請求項１から１０に記載の電池収納室において、電池蓋を閉じたときに、電池収納部に挿入された電池は、第１の導通部と第２の導通部とによって電池収納部の外側方向に押圧されて、電池が互いに接触することを防ぐことを特徴とする。
【００２１】
請求項１２に記載の発明は、請求項１から１１に記載の電池収納室を有する電子機器であることを特徴とする。
【発明の効果】
【００２２】
このように、本発明の電池収納室、及び該電池収納室を用いた電子機器によれば、電池同士の接触を防ぐ壁がない電池収納室において、電池同士が接触することを抑制し、接触によって短絡する危険性を下げる事ができる。
【発明を実施するための最良の形態】
【００２３】
以下に、本発明の電池収納室、及び該電池収納室を用いた電子機器の実施形態を図面を用いて説明する。なお、本実施形態は、以下に述べるものに限定されず、その趣旨を逸脱しない範囲において種々変更が可能である。
【００２４】
図１は、本実施形態の電池収納室の外観を示す斜視図である。
【００２５】
本実施形態の電池収納室は、電池収納部１と、電池収納室側接片２と、電池蓋３と、電池蓋側接片４とを備える。
電池収納室側接片２は、電池収納部１の内部の底面（奥側）に配置され、収納される電池６の導通面８と接触する。また、電池蓋側接片４は、電池蓋３に取り付けられている。
【００２６】
電池蓋側接片４は、電池蓋３が閉じられた状態のときに、電池収納部１の内部側に、かつ、電池収納室側接片２と対向する位置に配置される。さらに電池蓋側接片４は、電池収納室側接片２が接触する導通面８と反対側に位置する導通面７と接触する。
【００２７】
電池収納部１に電池６を収納した後、電池蓋３を閉じることによって、電池６は電池収納室側接片２と電池蓋側接片４とに挟み込まれて固定される。
【００２８】
図２は、電池収納部１に備えられた電池収納室側接片２の拡大図である。
電池収納室側接片２は、薄い金属の板を加工したもので形成されている。また、電池収納室側接片２の先端部分（電池６の導通面８と接触する部分）は、板の厚さの分だけの幅を持つ線状断面部５を有する。
【００２９】
図３は、電池収納部１に、２本の電池６を挿入する状態を示す図である。
電池６は、電池収納部１の長手方向から並列に並べた状態で挿入される。また、電池６はその両端に、電池収納室側接片２と電池蓋側接片４とに接触し導通する導通面７、８とを備えている。
【００３０】
図４は、電池６を挿入したときに、電池収納部１の長手方向を上から見た場合の断面図である。各電池６の間および電池６と電池収納部１の筐体内側との間には、空間９がある。
【００３１】
図５は、電池収納部１に挿入された電池６が、電池収納室側接片２に接触した瞬間を示す図である。
電池６の導通面８が電池収納室側接片２と接触する部分は、各電池６のそれぞれの導通面８の中心よりも、電池収納部１の内側寄りの位置に配置されている。
【００３２】
図６は、電池収納部１に挿入された電池６が、電池収納室側接片２に接触した後の状態を示す図である。
電池６は、その導通面８の中心部よりも電池収納部１の内側寄りの部分で保持される。したがって、電池６自体の自重によって必然的に電池収納部１の内壁方向（電池収納部１の中心から見て外側方向）に倒れることになる。これにより、２本の電池６は互いに接触しにくくなる。
【００３３】
図７は、電池収納部１に電池６を挿入した後の状態を、電池収納部１の上から見た場合の断面図である。内壁方向に倒れた各電池６は、電池蓋３が閉じられるまで電池収納部１の内壁寄りになっている。
電池蓋側接片４と導通面７とが接触する部分は、導通面７の中心よりも、電池収納部１の外側寄りに配置されている。よって、電池蓋３は、電池６を電池収納部１の中止から見て外側に傾ける方向の力をかけることになる。
【００３４】
したがって、電池蓋３を閉めることによって電池６は、電池収納室側接片２からと電池蓋３からとに、それぞれ電池収納部１の内部から見て外側の方向に押圧されることになる。
すなわち、電池収納部１内に挿入された電池６は、互いが離れる方向に押される力を受けるので、互いの電池が接触しにくくなる。よって、電池６同士による摩擦防止効果を得ることができる。
【００３５】
このように、電池収納室接片と電池蓋側接片４とが電池６を離す方向に押圧する。したがって、本実施形態のように電池同士の接触を防ぐ壁がない電池収納室においても、電池同士が接触することを抑制し、接触によって短絡する危険性を下げる事ができる。
【００３６】
また、電池６との接触部である線状断面５に複数の切れ込みを入れて、複数個の点で電池と接触する点接触でも、同様の効果を得ることができる。
図８は、電池収納室側接片２の先端部分に複数の切れ込みを入れた点状断面部１０の外観図である。この場合でも複数の点が１本の線上にあるため、挿入した互いの電池を引き離す事ができ、摩擦防止効果を得ることが可能となる。
【００３７】
また、電池６との接触部を、挿入される電池６の導通面７、８よりも小さい面で接触する面接触でも、同様の効果を得ることができる。
図９は、電池収納室側接片２の先端部分が、導通面７、８よりも小さい面状部１１の外観図である。このような面接触の場合でも、導通面７、８よりも小さい面積で接触するようにすることで、挿入した互いの電池を引き離す事ができ、摩擦防止効果を得ることが可能となる。
【産業上の利用可能性】
【００３８】
本発明は、カメラやビデオカメラ、携帯電話、携帯用機器などの電子機器の電池収納室に適用が可能である。
【図面の簡単な説明】
【００３９】
【図１】本実施形態の電池収納室の外観を示す斜視図である。
【図２】本実施形態の電池収納室側接片の外観を示す図である。
【図３】本実施形態の電池収納室に電池を挿入する状態を示す図である。
【図４】本実施形態の電池収納室に電池を挿入した状態を、電池収納室の上部から見た断面図である。
【図５】本実施形態の電池収納室側接片に電池が接触した瞬間の状態を示す図である。
【図６】本実施形態の電池収納室側接片に電池が接触した後の状態を示す図である。
【図７】本実施形態の電池収納室側接片に電池が接触した後の状態を、電池収納室の上部から見た断面図である。
【図８】本実施形態の電池収納室側接片の先端部分が点状である場合を示す図である。
【図９】本実施形態の電池収納室側接片の先端部分が面状である場合を示す図である。
【符号の説明】
【００４０】
１    電池収納部
２    電池収納室側接片
３    電池蓋
４    電池蓋側接片
５    線状断面部
６    電池
７、８    導通面
９    空間
１０    点状断面部
１１    面状部
【図１】
2006221858.tif 000003
【図２】
2006221858.tif 000004
【図３】
2006221858.tif 000005
【図４】
2006221858.tif 000006
【図５】
2006221858.tif 000007
【図６】
2006221858.tif 000008
【図７】
2006221858.tif 000009
【図８】
2006221858.tif 000010
【図９】
2006221858.tif 000011